(57)【要約】【課題】ポップアップ式の包装箱において、比較的少ない部品点数のまま、ポップアップ状態の収容物の取り出し時の体裁に優れるものを提供する。【解決手段】収容空間を有する、開閉可能な蓋板２付きの箱本体１と、蓋板２の裏面にその基端部が固定された持ち上げ片３と、持ち上げ片３の上面側に重ねて収容配置された緩衝板４と、から構成される。緩衝板４は、収容物Ｏの裏面を覆うと共に箱本体１の側面への収容物Ｏの接触を緩衝する。ポップアップ状態の収容物Ｏを収容空間１０から取り出したとき、緩衝板４の一部が収容空間１０内の持ち上げ片３よりも上面側に、斜めに押し上げられた状態で露出する。【選択図】図２
2019099254.tif 000002
【特許請求の範囲】
【請求項１】
上部に開口した収容空間を上面枠内に有してなり、収容物を収容空間内に上面開放した状態で収容し得る箱本体と、
箱本体の前記上面枠の一辺に接続されて箱本体の上面を覆う開閉可能な蓋板と、
蓋板の裏面にその基端部が固定されると共にその先端部が収容空間内の一側方へ垂下投入される持ち上げ片と、
収容空間内であって持ち上げ片の上面側に重ねて収容配置され、収容空間内に収容された収容物の裏面を覆うと共に箱本体の側面への収容物の接触を緩衝する緩衝板と、から構成されてなり、
蓋板を開いたとき、蓋板の開き動作と共に、持ち上げ片が上方へ傾斜状態で引き出されて収容物を裏面側から斜めに押し上げ、収容物の一部を収容空間よりも上方へ持ち上げたポップアップ状態となり、
また、このポップアップ状態の収容物を収容空間から取り出したとき、緩衝板の一部が収容空間内の持ち上げ片よりも上面側に、斜めに押し上げられた状態で露出することを特徴とする、ポップアップ式包装箱。
【請求項２】
前記緩衝板は、収容空間の平面視開口形状の過半部を覆う覆い片と、覆い片の少なくとも一辺から延設され、当該一辺と並走する複数の折り曲げ部又は湾曲部で山折りまたは谷折りされた緩衝片とからなり、
前記緩衝片が、閉蓋された収容状態において平面視開口形状よりも外周の上面枠内に配されると共に、
前記緩衝片を構成する山折り面または谷折り面の一面が、ポップアップ状態の収容物の下部側の一側面に当接して、収容物の当該一側面を斜めに押し上げる、請求項１に記載のポップアップ式包装箱。
【請求項３】
前記持ち上げ片が、
蓋板の裏面に固定されると共に、収容空間の深さ以上の縦片長を持った第一持ち上げ片と、
第一持ち上げ片の先端辺を折り曲げ辺としてこの先端辺の先へ連なって形成された第二持ち上げ片と、から構成され、
また、前記第二持ち上げ片の上面には、文字又は模様の少なくともいずれかからなる片面装飾が施されてなり、
収容物を収容した収容状態で、覆い片の下面に持ち上げ片の第二持ち上げ片が重ねられ、
前記ポップアップ状態で覆い片の端部から前記第二持ち上げ片の片面装飾が露出すると共に、
蓋板の開き角度を可変させることで、覆い片の下面に重ねられた第二持ち上げ片の片面装飾の露出量が可変する、請求項１又は２に記載のポップアップ式包装箱。
【請求項４】
緩衝板は、収容空間の平面視開口形状の過半部を覆う覆い片と、覆い片の少なくとも一辺から折れ曲って延設され、並走する複数の折り曲げ部又は湾曲部で山折りまたは谷折りされた緩衝片と、
覆い片の前記一辺から覆い片と略同一面のまま、当該一辺よりも外方へ所定の突出長だけ突出してなる、一または複数の突出片と、から構成され、
前記突出片が、閉蓋された収容状態において緩衝片の前記突出長以下の弾性圧縮を規制すると共に、
ポップアップ状態で、規制された突出片によって、覆い片が、箱本体の底板に接して収容物の裏面を押し上げる、請求項１、２、又は３のいずれかに記載のポップアップ式包装箱。
【請求項５】
箱本体の蓋板の基部と近接する側を後部、蓋板の蓋先と近接する側を前部としたとき、
箱本体の前部寄り及び後部寄りにそれぞれ、上面枠を構成する前枠及び後枠を有してなり、
また、緩衝板が、収容空間の平面視開口形状の前後方向の全長を覆う覆い片と、覆い片の前部の一辺から折れ曲って前部方向に延設され、覆い片よりも前部方向に弾性機能を発揮する緩衝片と、から構成され、
収容物を収容した収容状態から蓋を徐々に開いて前記ポップアップ状態へ移行する際に、
緩衝片が覆い片を後方へ弾性付勢することで、一旦、覆い片の後部の片先が後枠よりも裏側に入った第一ポップアップ状態となり、
持ち上げ片の持ち上げ角度が所定の大きさを超えるとき、この第一ポップアップ状態から、
持ち上げ片に押し上げられた覆い片が後枠の枠辺を超えて後枠の表側に突出した第二ポップアップ状態となる、請求項１、２、３、又は４のいずれかに記載のポップアップ式包装箱。
【発明の詳細な説明】
【技術分野】
【０００１】
本発明は、蓋を開けて行くに従って包装箱内の商品が下から押し出されてポップアップ状態となる、いわゆるポップアップ式包装箱に関する。
【背景技術】
【０００２】
従来、蓋を開けて行くに従って商品が下から押し出される押し出し箱として、主ヒンジ部を支点にして開閉される蓋の内側に段差ヒンジ部を介して延設した内背板を介して上げ床を延設したものが開示される（特許文献１参照）。この押し出し箱は、蓋を開けると同時に上げ床の背縁が持ち上がって行き、上げ床に乗せられた商品が押し出されるものである。
【０００３】
また従来、蓋の片側が函本体の端部に支持されて上下に開閉する収納函において、箱本体の内側面に延出されると共に先端部に折り返し片を有する底板を、蓋の支持側に延設または取着したものが開示される（特許文献２参照）。この収納函もまた、蓋の開閉に応動して底板の延設または取着側が持ち上がるものである。
【先行技術文献】
【特許文献】
【０００４】
【特許文献１】特開２０００−２０３５５９号公報
【特許文献２】実開昭６１−１７２０１２号公報
【発明の概要】
【発明が解決しようとする課題】
【０００５】
しかしながら、上記押し出し箱ないし収納函は、上げ床或いは底板が蓋板と共に持ち上がるという構造上、収容物を取り出したときに、前記上げ床の先端部の折り返し片、或いは前記底板の下辺部が上方へずれて、箱内面の一部が収容空間内に露出してしまう。このため、蓋を開いたときのいわゆるポップアップ状態において、収容物の取り出し時の体裁に優れるとは言えなかった。
【０００６】
なお、前記箱内面の露出を防ぐために、上げ床或いは底板の先端部をカバー部材等で覆うことも考えられるが、持ち上がりの動作を規制しないように部材の構成を複雑にしたり部品点数を増やしたりする必要が生じる。これらは、組み立ての煩雑化や構造の複雑化、或いは重量がかさむ原因となってしまう。
【０００７】
本発明は、このような事情を鑑みてなされたものであり、蓋の開き動作に応じて収容物が押し出されるポップアップ式の包装箱において、比較的少ない部品点数のまま、ポップアップ状態の収容物の取り出し時の体裁に優れるものを提供することを課題とする。
【課題を解決するための手段】
【０００８】
上記課題を解決すべく、本発明のポップアップ式包装箱は、以下〔１〕〜〔５〕の手段を講じている。但し、以下及び各実施形態において構成名称に続けて記載する数字列ないし数字及びアルファベットの文字列は、実施例の形態における部位を図面にて参照するための図面参照符号であり、各図及び各説明に特定する構造に限定する趣旨ではない。
【０００９】
〔１〕本発明のポップアップ式包装箱は、
上部に開口した収容空間１０を上面枠１１内に有してなり、収容物Ｏを収容空間１０内に上面開放した状態で収容し得る箱本体１と、
箱本体１の前記上面枠１１の一辺に接続されて箱本体１の上面（上面枠及び前記収容空間の開口）を覆う開閉可能な蓋板２と、
蓋板２の裏面に基端部が固定されると共に収容空間内に折れ曲がって又は湾曲して収容空間１０内に収容され、先端部が自由端として収容空間内の一側方へ投入される持ち上げ片３と、
収容空間１０内であって持ち上げ片３の上面側に重ねて収容配置され、収容空間内に収容された収容物Ｏの裏面を覆うと共に箱本体１の側面への収容物Ｏの接触を緩衝する緩衝板４と、から構成されてなり、
蓋板２を開いたとき、蓋板２の開き動作と共に、持ち上げ片３が上方へ傾斜状態で引き出されて収容物Ｏを裏面側から斜めに押し上げ、収容物Ｏの、持ち上げ片の基端部寄りの一部を収容空間よりも上方へ持ち上げたポップアップ状態（ｂ）となり、
また、このポップアップ状態の収容物Ｏを収容空間１０から取り出したとき、緩衝板４の一部（例えば、後述の実施例の覆い片４１）が収容空間１０内の持ち上げ片３よりも上面側に、斜めに押し上げられた状態で収容空間１０内に露出することを特徴とすることを特徴とする。
【００１０】
本構成によれば、ポップアップ状態の収容物Ｏを収容空間１０から取り出したとき、持ち上げ片３ではなく、持ち上げ片３の上面に重ねられた「緩衝板４」（例えば、後述の実施例の覆い片４１）が収容空間１０内に露出する。持ち上げ片３の下辺部を含む大部分が緩衝板４によって予め覆われているため、持ち上げ片３のせり上がりに伴って箱の内部構造の面の一部が露出することなく、収容物の取り出し時の体裁に優れたものとなる。
【００１１】
また緩衝板４はその名称の通り、収容された収容物Ｏが箱本体１の側面へ接触して衝撃を受け無いよう、収容物Ｏの保護緩衝材の役割を果たしている。緩衝板４が、取り出し時の体裁を整えるカバー材としての機能だけでなく、このような保護緩衝材としての機能を果たすことで、比較的少ない部品点数で収容保護と体裁とを両立する包装箱を形成している。
【００１２】
〔２〕また、上記ポップアップ式包装箱において、
緩衝板４は、収容空間１０の平面視開口形状の過半部を覆う覆い片４１と、覆い片４１の少なくとも一辺から延設され、当該一辺と並走する複数の折り曲げ部又は湾曲部で山折りまたは谷折りされた緩衝片４２とからなり、
前記緩衝片４２が、閉蓋された収容状態（ａ）において平面視開口形状よりも外周の上面枠内に配されると共に、
前記緩衝片４２を構成する山折り面または谷折り面の一面が、ポップアップ状態の収容物Ｏの下部側の側面（前側面）に当接して、収容物Ｏの当該一側面を斜めに押し上げることが好ましい。
【００１３】
このようなものであれば、ポップアップ状態で、緩衝板４の覆い片４１が収容物Ｏの裏面を斜めに押し上げると共に、緩衝片の一面が収容物Ｏの下部側の側面を斜めに押し上げることとなる。
【００１４】
また、緩衝板４は、閉蓋された収容状態（ａ）では、収容物Ｏの裏面を覆って収容空間の底部分を、持ち上げ片３と共に二重で保護する状態となっており、開閉の際にはこの二重になった緩衝板４及び持ち上げ片３が協働して収容物を斜めに押し上げることとなる。これにより、持ち上げ片３が撓んだり、或いは繰り返し動作によってヘタリを生じたりすることなく、安定した押し出し力をもって持ち上げることができる。
【００１５】
〔３〕また、上記いずれかのポップアップ式包装箱において、
持ち上げ片３が、
蓋板２の裏面に固定されると共に、収容空間１０の深さ以上の縦片長を持った、基端部側の第一持ち上げ片３１と、
第一持ち上げ片３１の先端辺を折り曲げ辺としてこの先端辺の先側へ連なって形成された、先端部側の第二持ち上げ片３２と、から構成され、
また、前記第二持ち上げ片３２の上面には、文字又は模様の少なくともいずれかからなる片面装飾３２Iが施されてなり、
収容物Ｏを収容した収容状態（ａ）で、前記覆い片４１の下面に前記第二持ち上げ片３２が重ねられ、
前記ポップアップ状態（ｂ）で覆い片４１の端部から前記第二持ち上げ片３２の片面装飾３２Ｉが露出すると共に、
蓋板２の開き角度を可変させることで、覆い片の下面に重ねられた第二持ち上げ片の片面装飾の露出量が可変することが好ましい。
【００１６】
上記構成によれば、ポップアップ状態（ｂ）で収容物Ｏを取り出したとき、覆い片４１の端部から所定の露出量で第二持ち上げ片３２が露出する。例えば蓋板の開き角度を徐々に大きくしていく場合、覆い片４１の端部から、片面装飾３２Ｉを有する第二持ち上げ片３２が徐々に露出していき、片面装飾３２Iの露出量が、蓋板２の開き角度に応じて可変するような、片面装飾３２Ｉの可変表示とすることもできる。
【００１７】
また、上記〔３〕の構成においてはさらに、緩衝板４の覆い片４１が、前記第二持ち上げ片３２よりも大きい面積で構成され、
また、前記第二持ち上げ片３２及び覆い片４１はそれぞれの片面に文字又は模様の少なくともいずれかからなる片面装飾３２Ｉ，４１Ｉが施されてなり、
収容物を収容した収容状態（ａ）で、緩衝板４の覆い片４１が第二持ち上げ片３２の上面すべてを覆うと共に、
前記ポップアップ状態（ｂ）で蓋板２の開き角度を可変させるのに伴い、緩衝板４の覆い片４１の片先から、覆い片４１の下面に重ねられた第二持ち上げ片３２がスライドして覆い片４１の端部から片面装飾３２Ｉが露出し、ポップアップ状態（ｂ）の蓋板２の開き角度の可変量と共に、その片面装飾３２Ｉの露出量が可変することが好ましい。
【００１８】
上記構成によれば、片面装飾４１Ｉの表示と片面装飾４１Ｉの端部から所定の露出量で露出する片面装飾３２Ｉの表示とが組み合されて、体裁に優れたものとなる。例えば蓋板の開き角度を徐々に大きくしていく場合、片面装飾４１Ｉを有する覆い片４１の端部から、片面装飾３２Ｉを有する第二持ち上げ片３２が徐々に露出していき、二つの片面装飾４１Ｉ、３２I同士で組合せ構成された組合せ模様ないし組合せ文字が、蓋板２の開き角度に応じて可変するような組合せ装飾の表示とすることもできる。
【００１９】
〔４〕また、上記いずれかのポップアップ式包装箱において、
緩衝板４は、収容空間１０の平面視開口形状の過半部を覆う覆い片４１と、覆い片４１の少なくとも一辺から折れ曲って延設され、並走する複数の折り曲げ部又は湾曲部で山折りまたは谷折りされた緩衝片４２と、
覆い片４１の前記一辺から覆い片４１と略同一面のまま、当該一辺よりも外方へ所定の突出長だけ部分的に突出してなる、一または複数の突出片４３と、から構成され、
前記突出片４３が、閉蓋された収容状態（ａ）において緩衝片の前記突出長以下の弾性圧縮を規制することが好ましい。
【００２０】
上記構成によれば、緩衝板４の覆い片４１が収容物Ｏの裏面を斜めに押し上げると共に、緩衝片の一面が収容物Ｏの下部側の側面を斜めに押し上げることとなる。
【００２１】
〔５〕また、本発明のポップアップ式包装箱においては、
箱本体１の蓋板２の基部と近接する側を後部、蓋板２の蓋先と近接する側を前部としたとき、
箱本体１の前部寄り、後部寄りにそれぞれ、上面枠を構成する前枠１１Ｆ、後枠１１Ｂを有してなり、
また、緩衝板４が、収容空間１０の平面視開口形状の前後方向の全長を覆う覆い片４１と、覆い片４１の前部の一辺から折れ曲って前部方向に延設され、覆い片４１よりも前部方向に弾性機能を発揮する緩衝片４２と、から構成され、
収容物を収容した収容状態（ａ）から蓋を徐々に開いて前記ポップアップ状態（ｂ）へ移行する際に、
緩衝片４２が覆い片４１を後方へ弾性付勢することで、一旦、覆い片４１の後部の片先が後枠１１Ｂよりも裏側に入った第一ポップアップ状態（ｂ１）となり、
持ち上げ片３の持ち上げ角度が所定の大きさとなったとき、前記第一ポップアップ状態（ｂ１）から、
持ち上げ片３に押し上げられた覆い片４１が後枠１１Ｂの枠辺を超えて後枠１１Ｂの表側に突出した第二ポップアップ状態（ｂ２）となることが好ましい。
【００２２】
第一ポップアップ状態（ｂ１）から第二ポップアップ状態（ｂ２）への状態変移は、所定の臨界持ち上げ角度において瞬間的に行われる。この状態変移は、覆い片４１の片先が撓んで後枠１１Ｂの背面に係止した状態から、この係止が解除されて片先が解放された状態となることを意味する（例えば後述の図３参照）。
【００２３】
第一ポップアップ状態（ｂ１）において、後枠１１Ｂに押さえられて後枠１１Ｂの下面にあった覆い片４１が、持ち上げ片３に押し上げられることで、後枠１１Ｂの枠端辺を超えて第二ポップアップ状態（ｂ２）へ瞬間的に移行することとなる。このとき、収容物Ｏの裏面を瞬間的に押し上げて第二ポップアップ状態（ｂ２）に移行することで、収容物Ｏが瞬間的に強い力を受けてポップアップする動作が生じる。このポップアップの動作は収容物Ｏが僅かに飛び上がるように見えるため、動的視覚効果に優れる動作となっている。
【発明の効果】
【００２４】
本発明のポップアップ式包装箱によれば、蓋の開き動作に応じて収容物が押し出されるポップアップ式の包装箱において、比較的少ない部品点数のまま、ポップアップ状態の収容物の取り出し時の体裁に優れるものを提供することが可能となった。
【図面の簡単な説明】
【００２５】
【図１】実施例１の構成を示す分解斜視図。
【図２】収容状態（ａ）及びポップアップ状態（ｂ）を示す側面視中央断面図。
【図３】第一ポップアップ状態（ｂ１）及び第二ポップアップ状態（ｂ２）を示す側面視中央断面図。
【図４】収容状態（ａ）及びポップアップ状態（ｂ）の、片面装飾の露出例を示す平面図。
【発明を実施するための形態】
【００２６】
以下、本発明の実施の形態におけるポップアップ式包装箱の構成を実施例として示す各図に基づいて説明する。なお、以下及び各実施形態において構成名称に続けて記載する数字列ないし数字及びアルファベットの文字列は、実施例の形態における部位を図面にて参照するための図面参照符号であり、各図及び各説明に特定する構造に限定する趣旨ではない。
【００２７】
いずれの実施例も、本発明のポップアップ式包装箱は、蓋板２を閉じると共に箱本体１の収容空間内に収容物Ｏを収容した収容状態（ａ）から、蓋板２を開けて行くに従って収容物Ｏが上方へ斜めに押し出されて、箱本体１の上面枠１１よりも収容物Ｏの一部が上方へポップアップしたポップアップ状態（ｂ）となるものである。そしてその基本構成として、
上部に開口した収容空間１０を上面枠１１内に有してなり、収容物Ｏを収容空間１０内に上面開放した状態で収容し得る箱本体１と、
・箱本体１の前記上面枠１１の一辺に接続されて箱本体１の上面（上面枠及び前記収容空間の開口）を覆う開閉可能に覆う蓋板２と、
・蓋板２の裏面にその基端部の第一持ち上げ片３１が固定されると共に、第一持ち上げ片３１の先側から折れ曲がって又は湾曲して連なる先端部の第二持ち上げ片３２が自由端として収容空間１０内の一側方へ投入される持ち上げ片３と、
・収容空間１０内であって持ち上げ片３の上面側に重ねて収容配置され、収容空間内に収容された収容物Ｏの裏面を覆うと共に箱本体１の側面への収容物Ｏの接触を緩衝する緩衝板４と、を具備してなる。以下、各構成を実施例１として示す各図と共に詳述する。
【００２８】
（箱本体１）
箱本体１は、前側板１２、後側板、及びこれらの両端同士をそれぞれ繋ぐ外側板によって外周が方形状に囲われると共に、前記囲われた外周の底部全体が底板１３で覆われる（図１）。なお本実施例の説明において、蓋板２の基部と近接する側を後部、蓋板２の蓋先と近接する側を前部とする。実施例では平面視の縦横長よりも高さの低い箱容器の外形からなる。前側板１２の幅方向中央部の上部には、蓋板１２のフラップ２２を差し込むための切欠き１２Ｄが設けられる。なお切欠き１２Ｄは、スリット前側板１２の上端に沿った横長矩形のスリット部と差し込み操作するための円形の切込み部とが組み合されている。（図１）。
【００２９】
そして、上部に開口した収容空間１０を、箱上面に設けられた上面枠１１内に有してなり（図１）、収容空間１０内に箱状の収容物Ｏを収容可能となっている。実施例では箱容器の上面の四方側周部が四方方形の上面枠１１となっている。上面枠１１は具体的には、前枠１１Ｆ、後枠１１Ｂ、及び、前枠１１Ｆと後枠１１Ｂの両端同士をそれぞれ繋ぐ２本の側枠からなる。なお、実施例の収容空間１０は、３個の縦長箱状の収容物Ｏを横方向に並べて収容可能な矩形空間となっている。
【００３０】
後枠１１Ｂの前端辺である枠端１１ＢＥ、並びに、側枠の内端辺である枠端にはそれぞれ、収容空間１０内に内側板１５が連設される。内側板１５は高さ方向に伸長して収容空間１０内に立設されると共に、底板１３に接した部分が折曲し、その先片が底板１３に沿って重なり配置される。これにより、内側板１５の高さ方向片は、収容空間１０の側縁部及び後縁部を規定する。なお、左右の内側板１５には部分的に切抜き部が設けられ、この切抜き部で切り抜かれた部分片が底板３１に接することで内側板１５を安定立設させている（図１）。
【００３１】
（蓋板２）
蓋板２は、箱本体１の前記上面枠１１の一辺に接続されて箱本体１の上面枠（前枠１１Ｆ，後枠１１Ｂ及びこれら両端部同士を繋ぐ側枠）、並びに、前記収容空間１０の開口を開閉可能に覆う板体からなる。後端２０が箱本体１の後枠１１Ｂに接して接続され、この後端２０をヒンジ部として閉状態ないし開状態へ相互に状態遷移可能となっている。蓋板２の前端には、箱本体１の切欠き１２Ｄに対応した大きさの差し込みフラップ２２が延設される（図１〜図３）。閉蓋時には差し込みフラップ２２が切欠き１２Ｄ内に差し込まれる（図２（ａ））。
【００３２】
（持ち上げ片３）
持ち上げ片３は、蓋板２の裏面にその上端が固定されると共に、収容空間１０の深さ以上（上面枠１１と底板１３の間の高さと同じか又はそれより長い長さ）の縦片長を持った、基端部側の第一持ち上げ片３１と、第一持ち上げ片３１の先端辺を折り曲げ辺としてこの先端辺から先へ連なって形成された、先端部側の第二持ち上げ片３２と、から構成される。（図１〜図３）。
【００３３】
実施例の第一持ち上げ片３１及び第二持ち上げ片３２は、共に収容空間１０の幅よりも若干小さい幅で形成され、また実施例の第二持ち上げ片３２は、収容空間１０の前後方向長さの半分程度の長さで形成される。少なくとも第一持ち上げ片３１は弾性材で構成されることで、収容状態（ａ）から開蓋状態に状態遷移する際に、後枠１１Ｂの枠端１１ＢＥが押し当たって係止することで湾曲状態に弾性変形する（図３（ｂ１））。この弾性変形した状態からさらに蓋を開くことで、第一持ち上げ片３１は弾性復帰し、緩衝板４を瞬間的に押し上げる（図３（ｂ１））。
【００３４】
持ち上げ片３は収容空間１０内に片先を前方として折れ曲った状態で投入されており、蓋板２を閉じた状態では第一持ち上げ片３１が鉛直下方に伸び、第一持ち上げ片３１の先端から折り曲げられて連なる第二持ち上げ片３２が、底板１３の上面に重なって収容空間１０内に略水平に収容される。第二持ち上げ片３２のさらに上面には緩衝板４の覆い片４１が重なって収容空間１０内に収容される。箱本体１が収容状態（ａ）からポップアップ状態（ｂ）に移行する際、蓋板２の開き動作に伴って持ち上げ片３の第二持ち上げ片３２が傾斜角度を増加させながら起き上がり、上面に重なった緩衝板４を斜めに持ち上げる（図２、図３）。
【００３５】
また、図４（ｂ）に示す第一持ち上げ片３１、第二持ち上げ片３２はそれぞれ、上面に、文字又は模様の少なくともいずれかからなる片面装飾３１Ｉ、３２Ｉが施されてなる。蓋板２の開き角度を大きくするにつれてこの片面装飾３１Ｉ，３２Ｉが緩衝板４１の上端から徐々に露出する（図４（ｂ））。例えば、図４（ｂ）に示すように片面装飾３１Ｉ，３２Ｉのいずれかを、筆記可能領域を囲う「吹き出し」模様とすれば、蓋板２の開き角度に応じて「吹き出し」模様がせり上がるように表示することができる。また例えば、図４（ｂ）に示すように、各片面装飾３１Ｉ，３２Ｉと緩衝板４１の片面装飾４１Ｉとが互いに関連性をもつ同種の装飾模様とされた場合は、緩衝板４１の片面装飾４１Ｉと共に、開き角度によって模様が可変する、いわゆる可変式の組合せ装飾模様を構成する（図４（ｂ））。
【００３６】
なお、実施例では第一持ち上げ片３１と第二持ち上げ片３２とが折れ曲って連なるが、他の構成として、第一持ち上げ片３１と第二持ち上げ片３２とが湾曲して連なるものとしてもよい。また、実施例では第一持ち上げ片３１と第二持ち上げ片３２とのそれぞれに片面装飾３１Ｉ、３２Ｉが施されるが、他の構成として、少なくとも第二持ち上げ片３２の上部に片面装飾３２Ｉが施されたものとしてもよい。
【００３７】
（緩衝板４）
緩衝板４は、少なくとも、収容空間１０の平面視開口形状の過半部を覆う覆い片４１と、覆い片４１の少なくとも一辺から延設され、当該一辺と並走する複数の折り曲げ部又は湾曲部で山折りまたは谷折りされた緩衝片４２とを具備する。緩衝板４は収容空間１０の底部分全体を覆ってなり、緩衝板４上に収容物Ｏが載置される。
【００３８】
実施例１の緩衝板４は、さらに突出片４３を具備する。すなわち実施例１の緩衝板４は、
収容空間１０の平面視開口形状の少なくとも過半部を覆う覆い片４１と、
覆い片４１の少なくとも一辺から折れ曲って延設され、並走する複数の折り曲げ部又は湾曲部で谷折りされさらにその先で山折りされた緩衝片４２と、
覆い片４１の前記一辺から覆い片４１と略同一面のまま、当該一辺よりも外方へ所定の突出長だけ突出してなる、一または複数の突出片４３と、から構成される（図１〜図３）。
【００３９】
（覆い片４１）
覆い片４１は、収容空間１０の平面視開口形状の少なくとも過半部を覆う。さらには少なくとも、収容空間１０の平面視開口形状の前後方向の全長を覆うことが好ましい。実施例では、覆い片４１が第二持ち上げ片３２よりも大きい面積で構成され、収容物を収容した収容状態（ａ）で、第二持ち上げ片３２の全面を覆う。
【００４０】
また、覆い片４１はその上面に、文字又は模様の少なくともいずれかからなる片面装飾４１Ｉが施されてなる。この片面装飾４１Ｉは例えば、前記第二持ち上げ片３２の片面装飾３２Ｉと同種ないし関連性のある文字又は模様からなるものとすることができる。この場合、覆い片４１の端部から第二持ち上げ片３２が露出したときに、各片面装飾４１Ｉ、３２Ｉを組合せた組合せ装飾を表示することができる。
【００４１】
なお、実施例では覆い片４１、第一持ち上げ片３１、第二持ち上げ片３２のそれぞれに、同種の模様からなる片面装飾４１Ｉ、３１Ｉ、３２Ｉが施されるが、他の構成として、覆い片４１と第二持ち上げ片３２の各上面にのみ、同種の模様からなる片面装飾１Ｉ，３２Ｉが施されたものとしてもよい。
【００４２】
（緩衝片４２）
緩衝片４２は、覆い片４１の前部の一辺から延設され、側面視山形（倒立Ｖ字形）形状に複数の折り曲げ部又は湾曲部で多段階に屈曲した弾性片からなる。具体的には、覆い片４１の前部の一辺の第二折り曲げ線で谷折りされて上傾斜方向を向いた第二緩衝片４２Ｂと、第二緩衝片４２Ｂの先側に連なって前記第二折り曲げ線と平行な第一折り曲げ線で山折りされて下傾斜方向ないし鉛直方向を向いた第一緩衝片４２Ａと、が連なって構成される。これら第一緩衝片４２Ａと第二緩衝片４２Ｂは第一折り曲げ線及び第二折り曲げ線で弾性屈曲してなり、前後方向（側面視山形の幅方向）へ弾性圧縮したときに前後方向へ弾性反力を生じる。
【００４３】
収容状態（ａ）の第一緩衝片４２Ａは、略鉛直方向を向き、側面前板１２の内側に沿って面接触した状態となっており、側面前板１２の中央上部に設けた差し込み孔１２Ｄの孔開口部にその片面の一部が内部露出する（図２（ａ））。また、ポップアップ状態（ｂ）の第一緩衝片４２Ａは下傾斜方向を向き、第二折り曲げ線（上辺）が上面枠１１に接すると共に、先端部（下辺）付近が側面前板１２に接した状態となる（図２（ｂ））。
【００４４】
収容状態（ａ）及びポップアップ状態（ｂ）の第二緩衝片４２Ｂは、覆い片４１の前部の一辺と連なる下端が、収容物Ｏの前側面に接して弾性反力で収容物Ｏを押圧した状態となっている。収容状態（ａ）で収容物Ｏが外部衝撃を受け、緩衝片が前後方向に弾性圧縮したときには、弾性反力によって第二緩衝片４２Ｂが収容物Ｏの前側面を後方へ押し出すことで、緩衝機能を発揮する（図２（ａ））。また、ポップアップ状態（ｂ）において蓋の開き角度が可変するのに応じて、第二緩衝片４２Ｂが収容物Ｏの前側面に面接触し、弾性反力によって傾斜角度を可変させながら収容物Ｏを後方へ押し出す状態となる（図２（ｂ）内の矢印参照）。
【００４５】
（突出片４３）
突出片４３は、覆い片４１の前部の一辺内の複数個所からその先へ同一平面状に連なって突出する突出片であり、実施例では第二緩衝片４２Ｂの片面内のうち下部寄りの左右２箇所を矩形状にくり抜くことで形成される。この突出片４３は、側面前板１２の下辺、すなわち箱本体１の前部下端のコーナー辺の方向を向いて、覆い片４１の下辺の２箇所から突出する（図２（ａ）及び図４（ａ）（ｂ））。収容状態（ａ）で収容物Ｏが外部衝撃を受け、緩衝片が前後方向に弾性圧縮したときは、水平方向を向いた突出片４３の先端部が側面前板１２に接することで、閉蓋された収容状態（ａ）において緩衝片４２の前記突出長以下の弾性圧縮を規制する。またポップアップ状態（ｂ）では、傾斜方向を向いた突出片４３の先端部が箱本体１の底板１３に接することで、箱本体の底板に接して収容物Ｏの裏面を押し上げた覆い片４１を支えた状態となる（図２（ｂ）、図３（ａ）（ｂ））。
【００４６】
〔ポップアップ動作〕
以下、蓋が閉じられた収容状態（ａ）から収容物Ｏを収容したまま蓋板２を開き、ポップアップ状態（ｂ）に移行することで生じる、収容物Ｏを持ち上げる動作、すなわちポップアップ動作について説明する。
【００４７】
ポップアップ動作は、収容物Ｏを収容した収容状態（ａ）から、蓋板２前部のフラップ２２を差し込み孔１２Ｄから抜いて蓋板２を開くことで生じる（図２）。この蓋板２の開き動作と共に、持ち上げ片３の第一持ち上げ片３１が上方へ引き出され、第一持ち上げ片３１の先に屈曲して連なる第二持ち上げ片３２が収容物Ｏの裏面側で斜め方向に引き出される（図２ｂ）。これにより、第二持ち上げ片３２の上面に接した緩衝板４が第二持ち上げ片３２に対して下方へスライドしながら傾斜方向を向き、緩衝板４の覆い片４１が収容物Ｏの下面を押し出すことで、収容物Ｏの後部を収容空間よりも上方へ持ち上げたポップアップ状態（ｂ）となる（図２、図４）。このポップアップ状態では収容物Ｏの前側面が第二緩衝片４２Ｂに面接触し、収容物Ｏが緩衝片４２の弾性反力を受けて斜め上方へ押し出される（図２（ｂ）の矢印参照）。
【００４８】
緩衝板４の突出片４３は、閉蓋された収容状態（ａ）においてその先端部が箱本体の前方下部の内面に当接することで、緩衝片４２の前記突出長以下の弾性圧縮を規制する（図２（ｂ））。また、前記ポップアップ状態（ｂ）は詳述すると、第一ポップアップ状態（ｂ１）と第二ポップアップ状態（ｂ２）との２状態に区別され（図３（ｂ１）（ｂ２））、蓋板２の開き角度の増加に応じて第一ポップアップ状態（ｂ１）から第二ポップアップ状態（ｂ２）へと状態移行する（図３）。この第一ポップアップ状態（ｂ１）から第二ポップアップ状態（ｂ２）へ遷移する直前には、突出片４３の先端部が箱本体の前方下部の内面に当接して係止した状態となる。第二ポップアップ状態へ遷移した瞬間には、突出片４３が箱本体１の底板１３に接して収容物Ｏの裏面を押し上げる（図２（ｂ）、図３）。
緩衝板４を構成する山折り面４２または谷折り面４２の一面は、持ち上げ片３の上面に重なって、収容物Ｏの一側面である前側面を持ち上げ片３と共に斜めに押し上げる（図２（ｂ）、図３）。
【００４９】
（第一ポップアップ状態（ｂ１）から第二ポップアップ状態（ｂ２）への状態遷移）
第一ポップアップ状態（ｂ１）から第二ポップアップ状態（ｂ２）への状態遷移について詳述する。まず、収容物Ｏを収容して蓋が閉じられた収容状態（ａ）から蓋板２を徐々に開いて前記ポップアップ状態へ移行する際には、緩衝片４２が覆い片４１を後方へ弾性付勢することで、一旦、覆い片４１の後部の片先が後枠１１Ｂよりも裏側に入った第一ポップアップ状態（ｂ１）となる（図３（ｂ１））。このとき、蓋板２の開き角度は所定の開放角度θ２を超えない臨界持ち上げ角度θ１であると共に、第一持ち上げ片３１の裏面の中央部付近に後ろ枠１１Ｂの枠端１１ＢＥが先端部係止して第一持ち上げ片３１が湾曲し、持ち上げ片３の折れ線３Ｆが、後ろ枠１１Ｂの枠端１１ＢＥよりも後方下部寄りに係止した状態を維持している（図３（ｂ１））。
【００５０】
そして、蓋板２の開き角度が開蓋に伴って所定の臨界持ち上げ角度θ１を超えた開放角度θ２となることで、この第一ポップアップ状態（ｂ１）から、持ち上げ片３に押し上げられた覆い片４１が後枠１１Ｂの枠辺を超えて後枠１１Ｂの表側に突出した第二ポップアップ状態（ｂ２）へと、瞬間的に状態遷移する（図３）。この状態遷移は、後ろ枠１１Ｂの枠端１１ＢＥの第一持ち上げ片３１への先端部係止状態、及び、折れ線３Ｆの、後ろ枠１１Ｂの枠端１１ＢＥの下部への係止状態（図３（ｂ１））がそれぞれ解除されて、持ち上げ片３の折れ線３Ｆが後ろ枠１１Ｂの枠前端１ＢＥの上方に開放された状態（図３（ｂ２））へ移行することを意味する。この状態遷移により覆い片４１に弾性反力が生じ、収容物Ｏが瞬間的にななめ上方への比較的大きな持ち上げ力を受ける（図３（ｂ２）の矢印参照）。つまり本発明の第二ポップアップ状態（ｂ２）への状態遷移は単純な押上げ動作ではなく、収容物Ｏを、覆い片４１を介して瞬間的に撥ね上げ、ポップアップさせる動作となっている。
【００５１】
（片面装飾４１Ｉの露出）
また、このポップアップ状態の収容物Ｏを収容空間１０から取り出したとき、緩衝板４の一部である覆い片４１の上面に片面装飾４１Ｉが収容空間１０内の持ち上げ片３よりも上面側に、斜めに押し上げられた状態で露出する（図４（ｂ））。
【００５２】
（組合せ装飾の可変）
ポップアップ状態で蓋板２の開き角度が徐々に大きく可変するのに伴って、緩衝板４の覆い片４１の片先から、覆い片４１の下面に重ねられた第二持ち上げ片３２がスライドしてその片面装飾３２Ｉが徐々に広範囲に露出する。これにより、組合せ装飾の模様柄が可変することとなる（図４）。
【００５３】
上記実施例の構成によれば、蓋板２の開き動作に伴って収容物を持ち上げる持ち上げ片３が、収容空間１０の底部全体を覆う覆い片４１の下面に重ねられるため、収容物を取り出したときに持ち上げ片３の下端が露出したり飛び出したりすることがなく、取り出し後の体裁を保つことができる。さらに、持ち上げ片３の下部を覆う部品として、収容物の緩衝機能を果たす緩衝板４の一部分である覆い片４１を利用しており、ポップアップ状態においては当該覆い片４１の上面全面で収容物を押し出すこととしている。このため、ポップアップ動作によって収容物が過度な衝撃を受けることなく、かつ、いたずらに部品点数を増やすことなく、比較的簡易な構造をもって、安全かつ確実な持ち上がり動作を行うものとなっている。
【００５４】
以上、各実施例の形態をもとに本発明を説明したが、これら実施例の形態は例示であり、本発明の主旨から逸脱しない限り、上述各実施の形態に対して、様々な形状変更、配置変更、構成要素の増減、各構成要素の付加、一部構成の削除を施してもよい。例えば実施例の持ち上げ片３の第二持ち上げ片３２は覆い片４１よりも小さい片幅、かつ覆い片４１の半分程度の片長の矩形板からなるが、他の形態として片幅や片長を覆い片４１と同程度にして底部緩衝性を増やしてもよいし、片長に沿って多数の屈曲部で連なる多段階屈曲片としてもよい。また例えば、実施例の緩衝片４は第一緩衝片４１Ａと第二緩衝片４１Ｂとが側面視山形形状に屈曲して連なってなるが、他の形態として、多段階に山折り、谷折り交互に折曲した蛇腹状の連続片からなるものや、山折り部分の先側に湾曲片を有するものとしてもよい。また、上記実施例以外の形態として、収容空間１０の形状や収容物の収容時の配置を変更したものでも良い。
【００５５】
また他に、蓋板の枚数を追加したり分割したりしたもの、例えば観音開き式に開く構造や、蓋板自体が折れ曲がるもの、蓋の開き方向を変更したものでも良い。その他、各構成要素ないしその少なくとも一部分を抽出して変更、増減、組合せを加えた変形例も本発明の範囲にあることは当業者に理解されるところである。
【符号の説明】
【００５６】
１  箱本体
１０  収容空間
１１  上面枠  １１Ｆ  前枠  １１Ｂ  後枠
１２  側面前板  １２Ｄ  差し込み孔
１３  底板
１５  内側板
２  蓋板
２２  フラップ
３  持ち上げ片
３Ｂ  基端部
３１  第一持ち上げ片
３２  第二持ち上げ片
４  緩衝板
４１  覆い片
４１Ｉ  片面装飾
４１Ｅ  緩衝片端
４２  緩衝片
４３  突出片
Ｏ  収容物
【図１】
2019099254.tif 000003
【図２】
2019099254.tif 000004
【図３】
2019099254.tif 000005
【図４】
2019099254.tif 000006